(57)【要約】複数の記録層が具備された光ディスク、その記録方法及び再生方法が開示される。  本発明による光ディスクは、リードイン領域、データ領域、及びリードアウト領域を具備した少なくとも２個の記録層を具備し、前記記録層のリードインまたはリードアウト領域のうち少なくとも１つにはディスク関連情報ゾーンが備えられた再生専用領域、及び前記データ領域に記録されたユーザーデータの再生のための再記録可能領域が備えられていることを特徴とする。それにより、データの記録／再生をより信頼性あるように行える。
2005528727.tif 000002
【特許請求の範囲】
【請求項１】
リードイン領域、データ領域、及びリードアウト領域を具備した少なくとも２個の記録層を具備し、
前記記録層のリードインまたはリードアウト領域のうち少なくとも１つにはディスク関連情報ゾーンが備えられた再生専用領域及び前記データ領域に記録されたユーザーデータの再生のための再記録可能領域が備えられていることを特徴とする光ディスク。
【請求項２】
前記再生専用領域と前記再記録可能領域間にはコネクションゾーンが形成されていることを特徴とする請求項１に記載の光ディスク。
【請求項３】
前記再記録可能領域にはテストゾーン、ディスクコントロールデータゾーン、及び欠陥管理ゾーンが形成されていることを特徴とする請求項１に記載の光ディスク。
【請求項４】
前記ディスク関連情報ゾーンが備えられたリードイン領域またはリードアウト領域とそれぞれ同じ記録層に備えられたリードアウト領域またはリードイン領域には欠陥管理ゾーンが形成されていることを特徴とする請求項３に記載の光ディスク。
【請求項５】
前記記録層にそれぞれ備えられたデータ領域に形成された螺旋形トラックは何れも同じ方向に形成されていることを特徴とする請求項３に記載の光ディスク。
【請求項６】
前記記録層にそれぞれ備えられたデータ領域に形成された螺旋形トラックは記録層毎に相互反対方向に形成されていることを特徴とする請求項３に記載の光ディスク。
【請求項７】
第１リードイン領域、第１データ領域、及び第１リードアウト領域が形成された第１記録層と、
第２リードイン領域、第２データ領域、及び第２リードアウト領域が形成された第２記録層とを具備し、
前記第１リードイン領域及び第２リードイン領域のうち少なくとも１つにはディスク関連情報が記録されたディスク関連情報ゾーンが備えられた再生専用領域が備えられており、前記リードイン領域には対応するデータ領域に記録されたユーザーデータの再生のための再記録可能領域が備えられていることを特徴とする光ディスク。
【請求項８】
前記ディスク関連情報は前記第１記録層及び第２記録層のためのディスク関連情報であることを特徴とする請求項７に記載の光ディスク。
【請求項９】
前記第１リードイン領域に記録されるディスク関連情報は前記第１記録層のための情報であり、第２リードイン領域に記録されるディスク関連情報は前記第２記録層のための情報であることを特徴とする請求項７に記載の光ディスク。
【請求項１０】
前記再記録可能領域にはテストゾーン、ディスクコントロールデータゾーン、欠陥管理ゾーンが形成されていることを特徴とする請求項９に記載の光ディスク。
【請求項１１】
前記第１リードアウト領域及び第２リードアウト領域には欠陥管理ゾーンがそれぞれ形成されていることを特徴とする請求項１０に記載の光ディスク。
【請求項１２】
前記第１リードイン領域、第１データ領域、及び第１リードアウト領域と第２リードイン領域、第２データ領域、及び第２リードアウト領域は半径方向に対して同じ順に配置されていることを特徴とする請求項１１に記載の光ディスク。
【請求項１３】
前記第１リードアウト領域及び第２リードアウト領域には前記欠陥管理ゾーンに隣接してバッファゾーンがそれぞれ形成されていることを特徴とする請求項１２に記載の光ディスク。
【請求項１４】
前記第１リードイン領域、第１データ領域、及び第１リードアウト領域と第２リードイン領域、第２データ領域、及び第２リードアウト領域は半径方向に対して逆順に配置されていることを特徴とする請求項１１に記載の光ディスク。
【請求項１５】
前記第１リードアウト領域及び第２リードイン領域には再生経路上で隣接して配置されるバッファゾーンがそれぞれ形成されていることを特徴とする請求項１４に記載の光ディスク。
【請求項１６】
前記再生専用領域は対応データがランドプリピットとして記録されたウォッブルトラックで形成され、
前記再記録可能領域は対応データが載せられているウォッブル信号が記録されたウォッブルトラックで形成されることを特徴とする請求項７に記載の光ディスク。
【請求項１７】
前記再生専用領域は対応データが載せられている高周波ウォッブル信号が記録された高周波ウォッブルトラックで形成され、
前記再記録可能領域は対応データが載せられている低周波ウォッブル信号が記録された低周波ウォッブルトラックで形成されることを特徴とする請求項７に記載の光ディスク。
【請求項１８】
前記再生専用領域は対応データがプリピットとして記録されたプリピット領域で形成され、
前記再記録可能領域は対応データが載せられているウォッブル信号が記録されたウォッブルトラックで形成されることを特徴とする請求項７に記載の光ディスク。
【請求項１９】
前記再生専用領域は対応データが載せられているウォッブル信号が記録されたウォッブルトラックで形成され、
前記再記録可能領域の対応データは前記再生専用領域のウォッブルトラックに記録マークとして記録されることを特徴とする請求項７に記載の光ディスク。
【請求項２０】
前記ウォッブル信号に載せたデータは周波数変調、振幅変調、位相変調、鋸波変調のうち少なくとも１つに変調されて載せるあることを特徴とする請求項１７に記載の光ディスク。
【請求項２１】
少なくとも２個の記録層が具備された光ディスクにユーザーデータを記録するか、記録されたユーザーデータを再生する方法において、
所定記録層の前記ディスクの内周及び外周のうち何れか１つに形成されたディスク関連情報ゾーンからディスク関連情報を読取る段階と、
前記ディスク関連情報が正常に読取られていなければ、他の記録層の外周及び内周のうち他の１つに形成されたディスク関連情報ゾーンから前記ディスク関連情報を読取る段階と、
読取られたディスク関連情報に基づいて前記光ディスクにユーザーデータを記録するか、または記録されたユーザーデータを再生する段階とを含むことを特徴とする方法。
【発明の詳細な説明】
【技術分野】
【０００１】
本発明は光ディスクに係り、より詳細には、少なくとも２個の記録層を具備した光ディスク、その記録方法及び再生方法に関する。
【背景技術】
【０００２】
現在、広く使われている情報保存媒体である光ディスクとしては、ＣＤとＤＶＤを挙げられる。しかし、ＡＶデータなどそのデータサイズが比較的大きいデジタルコンテンツの製作及び流通が活発になることによって、それを記録するためにより記録容量の大きい光ディスクが要求されている。
【０００３】
光ディスクの記録容量を増加させる方案の１つは、ユーザーデータが記録される記録層を２個以上用意するものである。しかし、記録層が２個である場合には記録層が１個である場合に比べて信頼性ある記録及び再生が行われ難い。なぜなら、一例として、各記録層に記録された情報を読取るためにレーザービームをより精巧に制御しなければならないので、ディスク表面の汚染により情報読取りのエラーがより頻繁に発生される恐れがあるためである。
【発明の開示】
【発明が解決しようとする課題】
【０００４】
したがって、本発明の目的は、少なくとも２個の記録層を具備する場合、データをより信頼性あるように記録／再生できるデータ構造を有する光ディスク、その記録方法及び再生方法を提供するところにある。
【課題を解決するための手段】
【０００５】
前記目的は、本発明によって、リードイン領域、データ領域、及びリードアウト領域を具備した少なくとも２個の記録層を具備し、前記記録層のリードインまたはリードアウト領域のうち少なくとも１つにはディスク関連情報ゾーンが備えられた再生専用領域、及び前記データ領域に記録されたユーザーデータの再生のための再記録可能領域が備えられていることを特徴とする光ディスクにより達成される。
【０００６】
前記再生専用領域には前記再記録可能領域と隣接して形成されたコネクションゾーンが形成されており、前記再記録可能領域にはテストゾーン、ディスクコントロールデータゾーン、及び欠陥管理ゾーンが形成されていることが望ましい。
【０００７】
前記記録層にそれぞれ備えられたデータ領域に形成された螺旋形トラックは何れも同じ方向に形成されているか、前記記録層毎に相互反対方向に形成されている。
【０００８】
また、前記目的は第１リードイン領域、第１データ領域、及び第１リードアウト領域が形成された第１記録層と、第２リードイン領域、第２データ領域、及び第２リードアウト領域が形成された第２記録層と、を具備し、前記第１リードイン領域及び第２リードイン領域のうち少なくとも１つにはディスク関連情報が記録されたディスク関連情報ゾーンが備えられた再生専用領域が備えられており、前記リードイン領域には対応するデータ領域に記録されたユーザーデータの再生のための再記録可能領域が備えられていることを特徴とする光ディスクによっても解決される。
【０００９】
前記ディスク関連情報は前記第１記録層及び第２記録層のためのディスク関連情報であるか、前記第１リードイン領域に記録されるディスク関連情報は前記第１記録層のための情報であり、第２リードイン領域に記録されるディスク関連情報は前記第２記録層のための情報であることが望ましい。
【００１０】
一方、本発明の他の分野によれば、前記目的は、少なくとも２個の記録層が具備された光ディスクにユーザーデータを記録するか、記録されたユーザーデータを再生する方法において、所定記録層の前記ディスクの内周及び外周のうち何れか１つに形成されたディスク関連情報ゾーンからディスク関連情報を読取る段階と、前記ディスク関連情報が正常に読取れなければ、他の記録層の外周及び内周のうち他の１つに形成されたディスク関連情報ゾーンから前記ディスク関連情報を読取る段階と、読取られたディスク関連情報に基づいて前記光ディスクにユーザーデータを記録するか、または記録されたユーザーデータを再生する段階とを含むことを特徴とする方法によっても達成される。
【発明を実施するための最良の形態】
【００１１】
以下、図面を参照して本発明の望ましい実施例を詳細に説明する。
【００１２】
図１は、本発明の一実施例による光ディスクの概略図である。図１を参照するに、光ディスクには第１記録層
【００１３】
【数１】
2005528727.tif 000003
及び第２記録層
【００１４】
【数２】
2005528727.tif 000004
が備えられている。第１記録層
【００１５】
【数３】
2005528727.tif 000005
及び第２記録層
【００１６】
【数４】
2005528727.tif 000006
にはその方向が相異なる螺旋形トラックがそれぞれ形成されている。
【００１７】
図２は、図１の光ディスクの記録／再生方向を示す。図２を参照するに、第１記録層
【００１８】
【数５】
2005528727.tif 000007
及び第２記録層
【００１９】
【数６】
2005528727.tif 000008
にはそれぞれリードイン領域ＬＩ、データ領域、及びリードアウト領域ＬＯが形成されている。斜線で示した領域はリードイン領域ＬＩとリードアウト領域ＬＯを示し、残りの領域はユーザーデータが記録されるデータ領域を示す。リードイン領域及びリードアウト領域に記録されるデータに対する詳細なる説明は後述する。
【００２０】
データの記録／再生は、レーザービームが照射される方向から見た時、反時計回り方向にディスクを回転させれば、内周から外周に向かって進むので、図１の光ディスクの記録／再生経路は第１記録層
【００２１】
【数７】
2005528727.tif 000009
のリードイン領域から始まってリードアウト領域を経て第２記録層
【００２２】
【数８】
2005528727.tif 000010
のリードイン領域を通過してリードアウト領域で終了するＯＴＰ（Ｏｐｐｏｓｉｔｅ  Ｔｒａｃｋ  Ｐａｔｈ）方式に従う。すなわち、本明細書でリードイン領域は対応記録層で記録／再生が始まる地点に位置した領域を意味し、リードアウト領域は対応記録層で記録／再生が終了する地点に位置した領域を意味する。したがって、リードイン領域はディスクの外周または内周に形成でき、リードアウト領域またディスクの外周または内周に形成されうる。本実施例で第１記録層
【００２３】
【数９】
2005528727.tif 000011
のリードイン領域はディスクの内周に形成されており、リードアウト領域はディスクの外周に形成されており、第２記録層
【００２４】
【数１０】
2005528727.tif 000012
のリードイン領域はディスクの外周に形成されており、リードアウト領域はディスクの内周に形成されている。
【００２５】
図３は、図２のリードイン／アウト領域のデータ構造図である。図３を参照するに、リードイン／アウト領域には再生専用領域と再記録可能領域が備えられている。再生専用領域と再記録可能領域間にはコネクションゾーンが形成されている。再生専用領域は一度記録されれば、消されない再生専用データがあらかじめ記録される領域であり、再記録可能領域はデータ領域に新たに記録されるユーザーデータのための再記録可能なデータが記録される領域である。
【００２６】
再生専用領域にはディスク関連情報ゾーン及びコネクションゾーンが備えられている。ディスク関連情報ゾーンには、ディスクに対する基本的な情報が記録される。例えば、焦点位置など光ピックアップの調整をより容易にするためのレファレンスコード及びディスク形態、ディスクサイズ、バージョン番号、記録密度、記録層の数、データ領域を示すセクター番号などの制御データが記録されうる。ディスク関連情報ゾーンは第１記録層
【００２７】
【数１１】
2005528727.tif 000013
及び第２記録層
【００２８】
【数１２】
2005528727.tif 000014
のうち何れか１つには存在しない場合がある。コネクションゾーンは再生専用領域と再記録可能領域間に存在する転移領域の役割を行う。
【００２９】
再記録可能領域にはテストゾーン、ディスクコントロールデータゾーン、及び欠陥管理ゾーンが備えられている。テストゾーンは、ディスクテストゾーン及び／またはドライブテストゾーンを含む。ディスクテストゾーン及びドライブテストゾーンは、記録用パルスなどをテストするための領域である。ディスクコントロールデータゾーンにはデータ領域に新たに記録されたユーザーデータに関するコントロールデータが記録される。欠陥管理ゾーンは、ディスクに欠陥が発生する場合に発生した欠陥を処理するか、管理するための情報が記録される。
【００３０】
ディスクコントロールデータゾーンには多様なコントロールデータが記録されうる。本実施例でディスクコントロールデータゾーンは所定コントロールデータが記録される領域が複数備えられており、未来の使用のために保留された領域が存在する。コントロールデータの例としては、ドライブ情報を挙げられる。ドライブ情報は記録時に使われたドライブに関する情報であって、メーカーの情報、識別子などがある。
【００３１】
ただ、所定記録層のリードイン／アウト領域が前記データ構造を有する場合、同じ層のリードアウト／イン領域は欠陥管理ゾーンとバッファゾーンのみを有する。欠陥管理ゾーンの意味は前記と同じであり、バッファゾーンは一種の転移領域、すなわち所定領域または領域間の境界を知らせる。
【００３２】
図４は、図１の光ディスクに記録されるデータ構造の第１具現例を示す。図４を参照するに、第１記録層
【００３３】
【数１３】
2005528727.tif 000015
と第２記録層
【００３４】
【数１４】
2005528727.tif 000016
にはディスク関連情報ゾーンが全て備えられている。すなわち、ディスク関連情報ゾーンは第１記録層
【００３５】
【数１５】
2005528727.tif 000017
のリードイン領域と第２記録層
【００３６】
【数１６】
2005528727.tif 000018
のリードアウト領域にそれぞれ存在する。ディスク関連情報ゾーンには対応記録層に関する情報がそれぞれ記録されるか、または第１記録層
【００３７】
【数１７】
2005528727.tif 000019
と第２記録層
【００３８】
【数１８】
2005528727.tif 000020
に関する情報が全て記録されうる。
【００３９】
残りの領域、すなわちコネクションゾーン、テストゾーン、ディスクコントロールデータゾーン、及び欠陥管理ゾーンは半径方向に対して同じ順に配置されている。さらに、第１記録層
【００４０】
【数１９】
2005528727.tif 000021
のリードアウト領域と第２記録層
【００４１】
【数２０】
2005528727.tif 000022
のリードイン領域には記録／再生経路上で隣接するようにバッファゾーンがそれぞれ備えられている。
【００４２】
図５は、図１の光ディスクに記録されるデータ構造の第２具現例を示す。図５を参照するに、ディスク関連情報ゾーンは第１記録層
【００４３】
【数２１】
2005528727.tif 000023
にのみ存在する。ディスク関連情報ゾーンには第１記録層
【００４４】
【数２２】
2005528727.tif 000024
と第２記録層
【００４５】
【数２３】
2005528727.tif 000025
に関する情報が全て記録される。
【００４６】
残りの領域、すなわちコネクションゾーン、テストゾーン、ディスクコントロールデータゾーン、及び欠陥管理ゾーンは半径方向に対して同じ順に配置されている。また、図４の場合と同様に第１記録層
【００４７】
【数２４】
2005528727.tif 000026
のリードアウト領域と第２記録層
【００４８】
【数２５】
2005528727.tif 000027
のリードイン領域には記録／再生経路上で隣接するようにバッファゾーンがそれぞれ備えられている。
【００４９】
図６Ａ及び図６Ｂは、図１の光ディスクに記録されるデータ構造の第３具現例を示す。図６Ａ及び図６Ｂを参照するに、第１記録層
【００５０】
【数２６】
2005528727.tif 000028
と第２記録層
【００５１】
【数２７】
2005528727.tif 000029
にはディスク関連情報ゾーンが全て備えられている。すなわち、ディスク関連情報ゾーンは第１記録層
【００５２】
【数２８】
2005528727.tif 000030
のリードイン領域と第２記録層
【００５３】
【数２９】
2005528727.tif 000031
のリードイン領域にそれぞれ存在する。ただ、各層のディスク関連情報ゾーン、コネクションゾーン、ディスクコントロールデータゾーン、及び欠陥管理ゾーンは半径方向に対して逆順に配置されている。ただ、テストゾーンは図６Ａでのように第１記録層
【００５４】
【数３０】
2005528727.tif 000032
にのみ存在するか、図６Ｂでのように第１記録層
【００５５】
【数３１】
2005528727.tif 000033
と第２記録層
【００５６】
【数３２】
2005528727.tif 000034
の物理的に同じ位置（内周または外周）に配置される。一方、第１記録層
【００５７】
【数３３】
2005528727.tif 000035
のリードアウト領域と第２記録層
【００５８】
【数３４】
2005528727.tif 000036
のリードイン領域には記録／再生経路上で隣接するようにバッファゾーンがそれぞれ備えられている。
【００５９】
第１記録層
【００６０】
【数３５】
2005528727.tif 000037
のディスク関連情報ゾーンと第２記録層
【００６１】
【数３６】
2005528727.tif 000038
のディスク関連情報ゾーンは光ディスクの内周及び外周にそれぞれ記録されているので、内周／外周のディスク表面が埃や指紋などで汚染されて情報を正常に読取れなくても外周／内周に備えられたディスク関連情報ゾーンでは情報を読取れるので、記録／再生の信頼性がより向上した構造と言える。ディスク関連情報ゾーンに両方の記録層に対する情報が全て記録された場合よりさらにそうである。
【００６２】
図７Ａ及び図７Ｂは、図１の光ディスクに記録されるデータ構造の第４具現例を示す。図７Ａ及び図７Ｂを参照するに、第１記録層
【００６３】
【数３７】
2005528727.tif 000039
には再生専用領域と再記録可能領域が全て備えられており、再生専用領域のディスク関連情報ゾーンには第１記録層
【００６４】
【数３８】
2005528727.tif 000040
と第２記録層
【００６５】
【数３９】
2005528727.tif 000041
に関する情報が全て記録される。第１記録層
【００６６】
【数４０】
2005528727.tif 000042
は図３を参照して説明したデータ構造に合致するが、第２記録層
【００６７】
【数４１】
2005528727.tif 000043
はそうでない。すなわち、第２記録層
【００６８】
【数４２】
2005528727.tif 000044
のリードイン領域及びリードアウト領域は何れも再記録可能領域で形成されている。より具体的に、第２記録層
【００６９】
【数４３】
2005528727.tif 000045
のリードイン領域には欠陥管理ゾーン、ディスクコントロールデータゾーン、及びバッファゾーンが形成されており、リードアウト領域には欠陥管理ゾーン、及びバッファゾーンが形成されている。ただ、テストゾーンは図７Ａでのように第１記録層
【００７０】
【数４４】
2005528727.tif 000046
にのみ存在するか、図７Ｂでのように第１記録層
【００７１】
【数４５】
2005528727.tif 000047
と第２記録層
【００７２】
【数４６】
2005528727.tif 000048
の物理的に同じ位置（内周または外周）に配置される。一方、第１記録層
【００７３】
【数４７】
2005528727.tif 000049
のリードアウト領域のバッファゾーンと第２記録層
【００７４】
【数４８】
2005528727.tif 000050
のリードイン領域のバッファゾーンは半径方向に同じ位置に配置されている。
【００７５】
図８は、本発明の他の実施例による光ディスクの概略図である。図８を参照するに、光ディスクには第１記録層
【００７６】
【数４９】
2005528727.tif 000051
及び第２記録層
【００７７】
【数５０】
2005528727.tif 000052
が備えられている。第１記録層
【００７８】
【数５１】
2005528727.tif 000053
及び第２記録層
【００７９】
【数５２】
2005528727.tif 000054
にはその方向が相互同じ螺旋形トラックがそれぞれ形成されている。
【００８０】
図９は、図８の光ディスクの記録／再生方向を示す。図９を参照するに、第１記録層
【００８１】
【数５３】
2005528727.tif 000055
及び第２記録層
【００８２】
【数５４】
2005528727.tif 000056
にはそれぞれリードイン領域ＬＩ、データ領域、及びリードアウト領域ＬＯが形成されている。斜線領域はリードイン領域ＬＩとリードアウト領域ＬＯを示し、残りの領域はユーザーデータが記録されるデータ領域を示す。リードイン領域及びリードアウト領域に記録されるデータに対する詳細なる説明は後述する。
【００８３】
データの記録／再生はレーザービームが照射される方向から見た時に反時計回り方向にディスクを回転させれば、内周から外周に向かって進むので、図９の光ディスクの記録／再生経路は第１記録層
【００８４】
【数５５】
2005528727.tif 000057
のリードイン領域から始まってリードアウト領域で終了し、さらに第２記録層
【００８５】
【数５６】
2005528727.tif 000058
のリードイン領域から始まってリードアウト領域で終了するＰＴＰ（Ｐａｒａｌｌｅｌ  Ｔｒａｃｋ  Ｐａｔｈ）方式に従う。図２を参照して前記のように、本明細書でリードイン領域は対応記録層で記録／再生が始まる地点に位置した領域を意味し、リードアウト領域は対応記録層で記録／再生が終了する地点に位置した領域を意味するので、本実施例で第１記録層
【００８６】
【数５７】
2005528727.tif 000059
及び第２記録層
【００８７】
【数５８】
2005528727.tif 000060
のリードイン領域はディスクの内周に形成されており、第１記録層
【００８８】
【数５９】
2005528727.tif 000061
及び第２記録層
【００８９】
【数６０】
2005528727.tif 000062
のリードアウト領域は何れもディスクの外周に形成されている。
【００９０】
図１０は、図８の光ディスクに記録されるデータ構造の第１具現例を示す。以下、ディスク関連情報ゾーン、コネクションゾーン、テストゾーン、ディスクコントロールデータゾーン、及び欠陥管理ゾーンの意味は図３の説明と同一である。
【００９１】
図１０を参照するに、第１記録層
【００９２】
【数６１】
2005528727.tif 000063
と第２記録層にはディスク関連情報ゾーンが全て備えられている。すなわち、ディスク関連情報ゾーンは第１記録層
【００９３】
【数６２】
2005528727.tif 000064
のリードイン領域と第２記録層
【００９４】
【数６３】
2005528727.tif 000065
のリードイン領域にそれぞれ存在する。ディスク関連情報ゾーンには対応記録層に関する情報がそれぞれ記録されるか、または第１記録層
【００９５】
【数６４】
2005528727.tif 000066
と第２記録層
【００９６】
【数６５】
2005528727.tif 000067
に関する情報が全て記録されうる。残りの領域、すなわちコネクションゾーン、テストゾーン、ディスクコントロールデータゾーン、及び欠陥管理ゾーンは半径方向に対して同じ順に配置されている。さらに、第１記録層
【００９７】
【数６６】
2005528727.tif 000068
のリードアウト領域と第２記録層
【００９８】
【数６７】
2005528727.tif 000069
のリードイン領域にはバッファゾーンがそれぞれ備えられている。
【００９９】
ただ、テストゾーンは第１記録層
【０１００】
【数６８】
2005528727.tif 000070
または第２記録層
【０１０１】
【数６９】
2005528727.tif 000071
にのみ存在するように構成できる。
【０１０２】
図１１は、図８の光ディスクに記録されるデータ構造の第２具現例を示す。図１１を参照するに、ディスク関連情報ゾーンは第１記録層
【０１０３】
【数７０】
2005528727.tif 000072
にのみ存在する。ディスク関連情報ゾーンには第１記録層
【０１０４】
【数７１】
2005528727.tif 000073
と第２記録層
【０１０５】
【数７２】
2005528727.tif 000074
に関する情報が全て記録される。
【０１０６】
残りの領域、すなわちコネクションゾーン、テストゾーン、ディスクコントロールデータゾーン、及び欠陥管理ゾーンは半径方向に対して同じ順に配置されている。また、図１０の場合と同様に第１記録層
【０１０７】
【数７３】
2005528727.tif 000075
のリードアウト領域と第２記録層
【０１０８】
【数７４】
2005528727.tif 000076
のリードイン領域には記録／再生経路上で隣接するようにバッファゾーンがそれぞれ備えられている。
【０１０９】
前記のようなデータ構造を有するリードイン／アウト領域に形成された再生専用領域及び再記録可能領域の形成例を説明すれば、次のようである。ただ、コネクションゾーンとバッファゾーンは隣接するゾーンと区分される物理的特性を有するように形成される。一例として、コネクションゾーンとバッファゾーンはミラー領域で形成されうる。隣接したゾーンがウォッブルトラックで形成された場合、コネクションゾーンとバッファゾーンは隣接したゾーンに記録されたウォッブル信号と異なる仕様を有するウォッブル信号が記録されたウォッブルトラックで形成されうる。
【０１１０】
ただ、テストゾーンは第１記録層
【０１１１】
【数７５】
2005528727.tif 000077
または第２記録層
【０１１２】
【数７６】
2005528727.tif 000078
にのみ存在するように構成できる。
【０１１３】
図１２は、再生専用領域及び再記録可能領域の第１形成例を示す。図１２のように、再生専用領域と再記録可能領域はウォッブルトラックで形成される。ここで、再生専用領域のデータはランドプリピットとして記録され、再記録可能領域のデータはウォッブル信号に載せて記録される。
【０１１４】
図１３は、再生専用領域及び再記録可能領域の第２形成例を示す。図１３のように、再生専用領域は対応データが載せられている高周波ウォッブル信号が記録された高周波ウォッブルトラックで形成され、再記録可能領域は対応データが載せられている低周波ウォッブル信号が記録された低周波ウォッブルトラックで形成される。
【０１１５】
図１２及び１３の場合、再生専用領域及び再記録可能領域が両方ともデータ領域のようにウォッブルトラックで形成されるので、ディスク全体にわたって物理的な形状が均一であって２つ以上の記録層を有する場合にも再生特性が良好である。
【０１１６】
図１４は、再生専用領域及び再記録可能領域の第３形成例を示す。図１４のように、再生専用領域は対応データがプリピットとして記録されたプリピット領域で形成され、再記録可能領域は対応データが載せられているウォッブル信号が記録されたウォッブルトラックで形成される。同様に、再記録可能領域がデータ領域のようにウォッブルトラックで形成されることによってより均一な物理的形状を有するようになって２つ以上の記録層を有する場合にも再生特性が良好である。
【０１１７】
図１５は、再生専用領域及び再記録可能領域の第４形成例を示す。図１５のように、再生専用領域は対応データが載せられているウォッブル信号が記録されたウォッブルトラックで形成され、再記録可能領域の対応データは再生専用領域のウォッブルトラックに記録マークとして記録される。これは１つの領域に再生専用領域のデータはウォッブル信号として、再記録可能領域のデータは記録マークとして記録されるので、ユーザーデータが記録されるデータ領域が相対的に広がって記録容量を高めるのに有利な構造である。
【０１１８】
一方、前記ウォッブルトラックは図１６の（ａ）のようにグルーブ及びランドの両側壁に全てウォッブルが形成されるか、図１６の（ｂ）のようにランドまたはグルーブの一側壁にのみ形成されうる。
【０１１９】
さらに、ウォッブルトラックから読取られるウォッブル信号には次のような方式で変調されてデータが載せられる。図１７の（ａ）の変調方式は周波数変調方式である。データビットが論理値“０”を取る場合の周波数と論理値“１”を取る場合の周波数を別にすることによって、データを記録することである。図１７の（ｂ）は位相変調方式を示す。データビットが論理値“０”を取る場合のウォッブル信号の位相とデータビットが論理値“１”を取る場合のウォッブル信号の位相を別にすることによって、データを記録することである。図１７の（ｃ）は振幅変調方式を示す。データビットが論理値“０”を取る場合のウォッブル信号の振幅とビットが論理値“１”を取る場合のウォッブル信号の振幅を別にすることによって、データを記録することである。図１８は連続したウォッブル信号の一部区間の周波数のみを変化させるＭＳＫ（Ｍｉｎｉｍｕｍ  Ｓｈｉｆｔ  Ｋｅｙｉｎｇ）方式または図１９に示されたように鋸歯状のウォッブル信号を記録するＳＴＷ（Ｓａｗ  Ｔｏｏｔｈ  Ｗｏｂｂｌｅ）方式を採用できる。鋸歯状のウォッブル信号は鋸歯の傾斜方向によって論理値“０”または“１”が決定される。さらに、図２０に示されたようにウォッブル信号が記録されたウォッブルトラックのトラックピッチＴＰ１、ＴＰ２を別に構成してトラック間クロストルクを減らしうる。
【０１２０】
前記構成に基づいて本発明による記録／再生方法を説明すれば、次のようである。
【０１２１】
図２１は、本発明の望ましい実施例による記録／再生方法を示すフローチャートである。図２１を参照するに、記録／再生装置に光ディスクがローディングされれば（２１０１段階）、記録／再生装置に具備された光ピックアップは第１記録層
【０１２２】
【数７７】
2005528727.tif 000079
及び第２記録層
【０１２３】
【数７８】
2005528727.tif 000080
のうち何れか１つに存在するディスク関連情報ゾーンからディスク関連情報を読取る（２１０２段階）。ディスク関連情報が正常に再生されなければ（２１０３段階）、記録／再生装置に具備された光ピックアップは第１記録層
【０１２４】
【数７９】
2005528727.tif 000081
及び第２記録層
【０１２５】
【数８０】
2005528727.tif 000082
のうち他の１つに存在するディスク関連情報ゾーンからディスク関連情報を読取り（２１０４段階）、それに基づいてデータ領域にユーザーデータを記録するか、またはデータ領域に記録されたユーザーデータを再生する（２１０５段階）。ディスク関連情報がエラーなしに正常に再生されれば（２１０３段階）、それに基づいてデータ領域にユーザーデータを記録するか、またはデータ領域に記録されたユーザーデータを再生する（２１０５段階）。
【０１２６】
記録層が３個以上具備されており、各記録層の相異なる位置に形成されたディスク関連情報ゾーンにあらゆる記録層に対する情報が記録された光ディスクの場合、一記録層のディスク関連情報ゾーンから情報を読取るのに失敗しても他の記録層のディスク関連情報ゾーンから情報を読取れるので、記録／再生の信頼性が向上する。
【産業上の利用可能性】
【０１２７】
本発明によれば、２つ以上の記録層が具備された光ディスクの場合にもデータをより信頼性あるように記録／再生できる。
【図面の簡単な説明】
【０１２８】
【図１】本発明の一実施例による光ディスクの概略図である。
【図２】図１の光ディスクの記録／再生方向を示す参考図である。
【図３】図２のリードイン／アウト領域のデータ構造図である。
【図４】図１の光ディスクに記録されるデータ構造の第１具現例である。
【図５】図１の光ディスクに記録されるデータ構造の第２具現例である。
【図６Ａ】図１の光ディスクに記録されるデータ構造の第３具現例である。
【図６Ｂ】図１の光ディスクに記録されるデータ構造の第３具現例である。
【図７Ａ】図１の光ディスクに記録されるデータ構造の第４具現例である。
【図７Ｂ】図１の光ディスクに記録されるデータ構造の第４具現例である。
【図８】本発明の他の実施例による光ディスクの概略図である。
【図９】図８の光ディスクの記録／再生方向を示す参考図である。
【図１０】図８の光ディスクに記録されるデータ構造の第１具現例である。
【図１１】図８の光ディスクに記録されるデータ構造の第２具現例である。
【図１２】再生専用領域及び再記録可能領域の第１形成例である。
【図１３】再生専用領域及び再記録可能領域の第２形成例である。
【図１４】再生専用領域及び再記録可能領域の第３形成例である。
【図１５】再生専用領域及び再記録可能領域の第４形成例である。
【図１６】ウォッブル信号の変調方式を説明する参考図である。
【図１７】ウォッブル信号の変調方式を説明する参考図である。
【図１８】ウォッブル信号の変調方式を説明する参考図である。
【図１９】ウォッブル信号の変調方式を説明する参考図である。
【図２０】ウォッブル信号の変調方式を説明する参考図である。
【図２１】本発明の望ましい実施例による記録／再生方法を説明するフローチャートである。
【図１】
2005528727.tif 000083
【図２】
2005528727.tif 000084
【図３】
2005528727.tif 000085
【図４】
2005528727.tif 000086
【図５】
2005528727.tif 000087
【図６Ａ】
2005528727.tif 000088
【図６Ｂ】
2005528727.tif 000089
【図７Ａ】
2005528727.tif 000090
【図７Ｂ】
2005528727.tif 000091
【図８】
2005528727.tif 000092
【図９】
2005528727.tif 000093
【図１０】
2005528727.tif 000094
【図１１】
2005528727.tif 000095
【図１２】
2005528727.tif 000096
【図１３】
2005528727.tif 000097
【図１４】
2005528727.tif 000098
【図１５】
2005528727.tif 000099
【図１６】
2005528727.tif 000100
【図１７】
2005528727.tif 000101
【図１８】
2005528727.tif 000102
【図１９】
2005528727.tif 000103
【図２０】
2005528727.tif 000104
【図２１】
2005528727.tif 000105
【国際調査報告】
2005528727.tif 000106